【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
放射線源から撮像されるべき被検体へ向けて表示視野（ＤＦＯＶ）の範囲内にビームを投影するステップと、
検出器において、投影データを収集するために、前記投影されたビームを受光するステップと、
前記投影において前記被検体が前記ＤＦＯＶを超えるトランケーションが生じているか否かを決定するステップであって、
前記ＤＦＯＶのマージンに対応するチャネルにおいてビーム測定Ｖｍａｒｇｉｎを得るステップと、
Ｖｍａｒｇｉｎをｋ＊Ｖａｉｒと比較し（Ｖａｉｒは前記被検体により減弱されていないビームの測定であり、ｋは０＜ｋ≦１と定義される）、Ｖｍａｒｇｉｎがｋ＊Ｖａｉｒよりも小さい場合にはトランケーションの発生を示すステップと、
を有するステップと、
前記投影において示されたトランケーションの位置を記録するステップと
を備えた計算機式断層写真法（ＣＴ）方法。
【請求項２】
一連の角度において投影するように前記被検体を中心として前記放射線源及び前記検出器を回転させるステップと、
前記一連の角度の各々の角度において、前記投影がトランケートされているか否かを決定するステップと、
前記投影のトランケーションの角度を、前記トランケーションの位置として記録するステップと
を含んでいる請求項１に記載の方法。
【請求項３】
一連の角度において投影するように前記被検体を中心として前記放射線源及び前記検出器を回転させるステップと、
一定の角度範囲内の各々の角度において、前記投影がトランケートされているか否かを決定するステップと、
前記投影のトランケーションの角度を、前記トランケーションの位置として記録するステップと
をさらに含んでいる請求項１に記載の方法。
【請求項４】
前記投影データに基づいて画像を再構成するステップと、
前記再構成画像に前記トランケートされた位置をマークするステップと
を含んでいる請求項１から請求項３の何れか一項に記載の方法。
【請求項５】
前記トランケートされた位置は、ファン形状投射範囲の境界線と走査ＦＯＶとの接点として記録される、請求項１に記載の方法。
【請求項６】
トランケーションが示されている場合、オフ・センタ再構成に用いられる投影データが前記トランケーションの影響を受けているか否かを決定するステップと、
オフ・センタ再構成に用いられる投影データが前記トランケーションの影響を受けている場合、前記オフ・センタ再構成のために影響を受けた点を記録するステップと
を含んでいる請求項１に記載の方法。
【請求項７】
一連の角度において投影するように前記放射線源及び前記検出器を回転させるステップと、
各々の角度において、オフ・センタ再構成に用いられる前記投影データが前記トランケーションの影響を受けているか否かを決定するステップと、
オフ・センタ再構成に用いられる投影データが前記トランケーションの影響を受けている場合、前記オフ・センタ再構成のために前記影響を受けた点を記録するステップと
をさらに含んでいる請求項１に記載の方法。
【請求項８】
撮像されるべき被検体へ向けて表示視野（ＤＦＯＶ）の範囲内にビームを投影する放射線源と、
投影データを収集するために、前記投影されたビームを受光する検出器と、
前記放射線源及び前記検出器に結合されたプロセッサであって、
前記ＤＦＯＶのマージンに対応するチャネルにおいてビーム測定Ｖｍａｒｇｉｎを得ること、
Ｖｍａｒｇｉｎをｋ＊Ｖａｉｒと比較すること（Ｖａｉｒは前記被検体により減弱されていないビームの測定であり、ｋは０＜ｋ≦１と定義される）、
Ｖｍａｒｇｉｎがｋ＊Ｖａｉｒよりも小さい場合には前記投影においてトランケーションの発生を示すこと、
前記投影において示されたトランケーションの位置を記録すること、
を実行するように構成されているプロセッサと
を備えた計算機式断層写真法（ＣＴ）システム。
【請求項９】
前記放射線源および前記検出器が一連の角度において投影するように前記被検体の周りを回転し、
前記プロセッサは、
前記一連の角度の各々の角度において、前記投影がトランケートされているか否かを決定すること、および
前記トランケーションが生じた場合、前記トランケートされた位置を記録すること、
を実行するように構成されている、請求項８に記載の計算機式断層写真法（ＣＴ）システム。
【請求項１０】
前記放射線源及び前記検出器は、一連の角度において投影するように前記被検体を中心として回転し、
前記プロセッサは、
一定の範囲内の各角度において、前記投影がトランケートされているか否かを決定すること、
トランケーションが生じた場合に、前記トランケートされた位置を記録することを実行するように構成されている、請求項８に記載の計算機式断層写真法（ＣＴ）システム。
【請求項１１】
前記プロセッサは、
前記投影データに基づいて画像を再構成し、
前記再構成画像に前記トランケートされた位置をマークするように構成されている、請求項８に記載の計算機式断層写真法（ＣＴ）システム。
【請求項１２】
前記プロセッサは、前記トランケートされた位置を、ファン形状投射範囲の境界線と走査ＦＯＶとの接点として記録するように構成されている、請求項８に記載の計算機式断層写真法（ＣＴ）システム。
【請求項１３】
前記プロセッサは、
トランケーションが示されている場合、オフ・センタ再構成に用いられる投影データが前記トランケーションによる影響を受けているか否かを決定し、
オフ・センタ再構成に用いられる前記投影データが前記トランケーションによる影響を受けている場合、前記オフ・センタ再構成の影響を受けた点を記録する
ように構成されている、請求項８に記載の計算機式断層写真法（ＣＴ）システム。
【請求項１４】
前記放射線源及び前記検出器は、一連の角度において投影するように前記被検体を中心として回転し、前記プロセッサは、前記一連の角度の各々の角度において、オフ・センタ再構成に用いられる前記投影データが前記トランケーションによる影響を受けているか否かを決定し、オフ・センタ再構成に用いられる前記投影データが前記トランケーションによる影響を受けている場合、前記オフ・センタ再構成の前記影響を受けた点を記録するように構成されている、請求項１３に記載の計算機式断層写真法（ＣＴ）システム。
【請求項１５】
前記放射線源及び前記検出器は、一連の角度において投影するように前記被検体を中心として回転し、前記プロセッサは、一定の角度範囲内の各々の角度において、オフ・センタ再構成に用いられる前記投影データが前記トランケーションによる影響を受けているか否かを決定し、オフ・センタ再構成に用いられる前記投影データが前記トランケーションによる影響を受けている場合、前記オフ・センタ再構成の前記影響を受けた点を記録するように構成されている、請求項１３に記載の計算機式断層写真法（ＣＴ）システム。
【請求項１６】
前記プロセッサは、
前記トランケーションによる影響を受ける影響範囲を算出し、
オフ・センタ再構成のためのＤＦＯＶ範囲（ＤＦＯＶｏｆｆ）を算出し、
オフ・センタ再構成に用いられる前記投影データが前記トランケーションによる影響を受けているか否かを決定するために、前記ＤＦＯＶｏｆｆと前記算出された影響範囲とが重なっているか否かを決定する
ように構成されている、請求項１３に記載の計算機式断層写真法（ＣＴ）システム。